(57)【要約】【課題】モーター等の駆動部品で発生する起電力を用いて電力負荷が増やすことなく、蓄電部品への充電を行うことができる情報処理装置を提供する。【解決手段】メモリー７３に記憶されたプログラムで動作するメインプロセッサー７２を備えた複写機であって、駆動を停止させても空転を続け、停止するまでの間に起電力が回生エネルギーとして発生するポリゴンモーター１９と、ポリゴンモーター１９で発生した前記回生エネルギーを蓄電する蓄電部品７８とを具備し、メインプロセッサー７２は、プログラムの更新中に、電源が遮断された場合には、蓄電部品７８からの電力によって動作し、プログラムの更新を継続させる。【選択図】図３
2015193130.tif 000002
【特許請求の範囲】
【請求項１】
メモリーに記憶されたプログラムで動作するメインプロセッサーを備えた情報処理装置であって、
駆動を停止させても空転を続け、停止するまでの間に起電力が回生エネルギーとして発生する駆動部品と、
該駆動部品で発生した前記回生エネルギーを蓄電する蓄電部品とを具備し、
前記メインプロセッサーは、前記プログラムの更新中に、電源が遮断された場合には、前記蓄電部品からの電力によって動作し、前記プログラムの更新を継続することを特徴とすることを特微とする情報処理装置。
【請求項２】
メモリーに記憶されたプログラムで動作するメインプロセッサーを備えた情報処理装置であって、
駆動を停止させても空転を続け、停止するまでの間に起電力が回生エネルギーとして発生する駆動部品と、
該駆動部品で発生した前記回生エネルギーを蓄電する蓄電部品とを具備し、
前記メインプロセッサーは、前記プログラムの更新時に前記蓄電部品からの電力によって動作することを特徴とする情報処理装置。
【請求項３】
前記メインプロセッサーは、前記蓄電部品の蓄電量が予め設定された値以上である場合に、前記プログラムの更新時に前記蓄電部品からの電力によって動作することを特微とする請求項１又は２記載の情報処理装置。
【請求項４】
前記駆動部品は、ポリゴンを回転させるポリゴンモーターであることを特徴とする請求項１乃至３のいずれかに記載の情報処理装置。
【請求項５】
前記駆動部品に駆動電圧を供給する駆動回路と、
前記駆動部品で発生した前記回生エネルギーを前記蓄電部品に充電する充電回路と、
前記駆動部品の駆動時には、前記駆動部品の電源ラインを前記駆動回路側に接続させ、
前記駆動部品の駆動停止時には、前記駆動部品の電源ラインを前記蓄電部品側に切り替える切替回路とを具備することを特徴とする請求項１乃至４のいずれかに記載の情報処理装置。
【発明の詳細な説明】
【技術分野】
【０００１】
本発明は、プログラムで動作する情報処理装置に関する。
【背景技術】
【０００２】
複写機やＭＦＰ等の画像形成装置は、プログラムで動作する情報処理装置である。一般に、プログラムの記憶には、書換え可能な不揮発性メモリーが用いられ、改良や修正を施したプログラムへの更新が行われている。この更新作業の最中に電源遮断になった場合、プログラムの一部が消失したり記憶状態が不安定になったりすることで、情報処理装置が正常に動作しなくなってしまう。
【０００３】
そこで、電源によって充電される蓄電池を設け、プログラムの更新時に電源遮断が発生した場合においても、蓄電池からＣＰＵに継続して電源供給を行う技術が提案されている。例えば、特許文献１では、ドラムモーター回転時に発生する起電力によって充電される蓄電池を備えている。また、特許文献２では、通電を利用して発電する誘導電流発電部によって充電される蓄電池を備えている。
【先行技術文献】
【特許文献】
【０００４】
【特許文献１】特開２００８−２５６９６０号公報
【特許文献２】特開２０１０−２２５０１２号公報
【発明の概要】
【発明が解決しようとする課題】
【０００５】
しかしながら、特許文献１のように、ドラムモーター等の駆動部品の通常動作に伴って発生する起電力を利用する場合、電力負荷が増えたり、駆動部品を駆動するドライバーへの逆流防止回路等の付随する回路によりコストアップとなってしまったりするという問題点があった。また、特許文献２のように、電源回路上に蓄電回路を設けた場合、最初の蓄電中に本来必要な電流以外に突入電流が発生してしまう。そのため、電源回路の部品を耐電流が大きいもので構成しなくてはならずコストアップになってしまうという問題点があった。
【０００６】
本発明は、かかる点に鑑みてなされたものであり、その目的とするところは、モーター等の駆動部品で発生する起電力を用いて電力負荷が増やすことなく、蓄電部品への充電を行うことができる情報処理装置を提供することにある。
【課題を解決するための手段】
【０００７】
このような課題を解決するために、本発明の情報処理装置は、メモリーに記憶されたプログラムで動作するメインプロセッサーを備えた情報処理装置であって、駆動を停止させても空転を続け、停止するまでの間に起電力が回生エネルギーとして発生する駆動部品と、該駆動部品で発生した前記回生エネルギーを蓄電する蓄電部品とを具備し、前記メインプロセッサーは、前記プログラムの更新中に、電源が遮断された場合には、前記蓄電部品からの電力によって動作し、前記プログラムの更新を継続することを特徴とすることを特微とする。
また、本発明の情報処理装置は、メモリーに記憶されたプログラムで動作するメインプロセッサーを備えた情報処理装置であって、駆動を停止させても空転を続け、停止するまでの間に起電力が回生エネルギーとして発生する駆動部品と、該駆動部品で発生した前記回生エネルギーを蓄電する蓄電部品とを具備し、前記メインプロセッサーは、前記プログラムの更新時に前記蓄電部品からの電力によって動作することを特徴とすることを特微とする。
さらに、本発明の情報処理装置において、前記メインプロセッサーは、前記蓄電部品の蓄電量が予め設定された値以上である場合に、前記プログラムの更新時に前記蓄電部品からの電力によって動作するようにしても良い。
さらに、本発明の情報処理装置において、前記駆動部品は、ポリゴンを回転させるポリゴンモーターであっても良い。
さらに、本発明の情報処理装置は、前記駆動部品に駆動電圧を供給する駆動回路と、前記駆動部品で発生した前記回生エネルギーを前記蓄電部品に充電する充電回路と、前記駆動部品の駆動時には、前記駆動回路の電源ラインを前記駆動回路側に接続させ、記駆動部品の駆動停止時には、前記駆動回路の電源ラインを前記蓄電部品側に切り替える切替回路とを備えていても良い。
【発明の効果】
【０００８】
本発明によれば、動作時に充電を行うことなく、停止するまでの間に回生エネルギーとして発生する起電力を用いて充電を行うため、モーター等の駆動部品で発生する起電力を用いて電力負荷が増やすことなく、蓄電部品への充電を行うことができるという効果を奏する。
【図面の簡単な説明】
【０００９】
【図１】本発明に係る情報処理装置の実施の形態の内部構成を示す概略模式断面図である。
【図２】図１に示す光走査装置の構成を説明するための斜視図である。
【図３】本発明に係る情報処理装置の実施の形態の電源部の構成を示す回路図である。
【発明を実施するための形態】
【００１０】
次に、本発明の実施の形態を、図面を参照して具体的に説明する。
本実施の形態の情報処理装置は、電子写真方式を利用した複写機１であり、図１を参照すると、原稿読取部２と、原稿給送部３と、本体部４とを備えている。原稿給送部３は、原稿読取部２の上部に配設されていると共に、原稿読取部２は、本体部４の上部に配設され、原稿読取部２と本体部４との間には、排紙空間６が形成されている。
【００１１】
原稿読取部２は、スキャナー２１と、プラテンガラス２２と、原稿読取スリット２３とを備える。スキャナー２１は、露光ランプ及びＣＣＤ(Charge Coupled Device)センサ等から構成され、原稿給送部３による原稿の搬送方向に移動可能に構成されている。プラテンガラス２２は、ガラス等の透明部材により構成された原稿台である。原稿読取スリット２３は、原稿給送部３による原稿の搬送方向と直交方向に形成されたスリットを有する。
【００１２】
プラテンガラス２２に載置された原稿を読み取る場合には、スキャナー２１は、プラテンガラス２２に対向する位置に移動され、プラテンガラス２２に載置された原稿を走査しながら原稿を読み取って画像データを取得し、取得した画像データを本体部４に出力する。また、原稿給送部３により搬送された原稿を読み取る場合には、スキャナー２１は、原稿読取スリット２３と対向する位置に移動され、原稿読取スリット２３を介し、原稿給送部３による原稿の搬送動作と同期して原稿を読み取って画像データを取得し、取得した画像データを本体部４に出力する。
【００１３】
原稿給送部３は、原稿載置部３１と、原稿排出部３２と、原稿搬送機構３３とを備えている。原稿載置部３１に載置された原稿は、原稿搬送機構３３によって、１枚ずつ順に繰り出されて原稿読取スリット２３に対向する位置へ搬送され、その後、原稿排出部３２に排出される。なお、原稿給送部３は、可倒式に構成され、原稿給送部３を上方に持ち上げることで、プラテンガラス２２の上面を開放させることができる。
【００１４】
本体部４には、電子写真プロセス部材として、感光体ドラム４１、帯電器４２、光走査装置１０、現像装置４３、転写ローラー４４、クリーニング装置４５が配設されている。転写ローラー４４は、感光体ドラム４１の表面に接触するよう配置され、記録紙Ｐの搬送路４６が、感光体ドラム４１と転写ローラー４４とのニップ部を通って上下方向に延在するよう配設されている。
【００１５】
本体部４の下部には、記録紙Ｐを収納する給紙カセット４７と、給紙カセット４７から記録紙Ｐを１枚ずつ繰り出すピックアップローラー４８とが配設されている。搬送路４６は、ピックアップローラー４８の下流側に接続され、ピックアップローラー４８によって記録紙Ｐを１枚ずつ搬送路４６に繰り出される。搬送路４６の、ピックアップローラー４８よりも下流側には、レジストローラー対４９、転写ローラー４４、定着装置５０、搬送ローラー対５１、排出ローラー対５２の順に配設されている。
【００１６】
複写機１による画像形成は、まず、帯電器４２により感光体ドラム４１の表面を一様に帯電させ、原稿読取部２で読み取った画像データに基づいて、光走査装置１０によって感光体ドラム４１の表面を走査することで静電潜像を形成させる。次に、感光体ドラム４１の表面に形成された静電潜像を現像装置４３によって現像することでトナー像を形成させる。感光体ドラム４１の表面に形成されたトナー像は、給紙カセット４７から繰り出された記録紙Ｐが、感光体ドラム４１と転写ローラー４４とのニップ部を通過する間に記録紙Ｐに転写される。該用紙Ｐに転写されたトナー像は、定着装置５０を通過する間に記録紙Ｐに熱定着される。トナー像が定着された記録紙Ｐは、搬送ローラー対５１及び排出ローラー対５２によって、排紙空間６の排出トレイ６１に排出される。
【００１７】
光走査装置１０は、図２を参照すると、レーザダイオード１１と、レンズ部１２、１３と、ポリゴンミラー１４と、ｆθレンズ１５、１６と、防塵ガラス１７とを備え、これらの光学部品を収納する合成樹脂製のハウジング１８と、ポリゴンモーター１９を備えている。なお、図２に示す光走査装置１０は、遮光用の上部カバーが取り外した状態が示されている。
【００１８】
レーザダイオード１１は、画像データをレーザ光に変調して発射する。レンズ部１２、１３は、例えばコリメータレンズやプリズム等により構成されており、入射したレーザ光を平行光に変換する機能を有している。ポリゴンミラー１４は、平面視正六角形の平板状に形成されており、ポリゴンモーター１９により所定方向に一定速度で回転しながらレンズ部１３からのレーザ光をｆθレンズ１５に向けて偏向する。ｆθレンズ１５、１６は、互いのアーチ部分が対向するようにハウジング１８内の適所に配設されており、ポリゴンミラー１４で偏向されたレーザ光を感光体ドラム４１の表面上で等速走査させる機能を有している。防塵ガラス１７は、ハウジング１８内への粉塵等の異物の侵入を防止する異物侵入防止機能を有している。ポリゴンモーター１９は、駆動を停止しても惰性で回転を続けるＤＣモーターで構成されている。
【００１９】
次に、複写機１の電源部について、図３を参照して説明する。なお、図３では、電源ラインが実線で、制御ライン及びデータラインが点線でそれぞれ示されている。
複写機１は、図３に示すように、商用交流電源からの交流電圧（１００Ｖ）によって動作する。電源部は、ダイオードブリッジ回路や平滑コンデンサからなる整流平滑回路７０と、複写機１の各部に電力を供給する駆動用ＤＣ−ＤＣコンバーター７１とを備えている。商用交流電源から入力された交流電圧は、整流平滑回路７０によって直流電圧に変換される。そして、駆動用ＤＣ−ＤＣコンバーター７１は、整流平滑回路７０によって変換された直流電圧を、原稿読取部２、原稿給送部３、本体部４の各部の駆動電圧に変換して各部にそれぞれ供給する。
【００２０】
図３には、光走査装置１０のポリゴンモーター１９を駆動するモーター駆動回路７４と、メインプロセッサー７２と、メモリー７３とへの電源ラインが代表して記載されている。駆動用ＤＣ−ＤＣコンバーター７１とメインプロセッサー７２及びメモリー７３との間の電源ラインには、メインプロセッサー７２によってオン／オフが制御されるスイッチ（ＳＷ）７５が設けられている。
【００２１】
メインプロセッサー７２は、ＣＰＵ（Central Processing Unit）、ＲＯＭ（Read Only Memory）、ＲＡＭ（Random Access Memory）等を備えたマイクロコンピューター等の情報処理部である。メモリー７３は、フラッシュメモリー等の不揮発性の半導体メモリーであり、複写機１の動作制御を行うための制御プログラムが記憶されている。メインプロセッサー７２は、メモリー７３に記憶されている制御プログラムを読み出し、制御プログラムをＲＡＭに展開させることで、図示しない操作部から入力された所定の指示情報に応じて原稿読取部２、原稿給送部３、本体部４の各部を制御して一連の画像形成動作を実現する。
【００２２】
モーター駆動回路７４からの駆動電圧は、メインプロセッサー７２によって制御される切替回路７６を介してポリゴンモーター１９に供給されるように構成されている。切替回路７６は、ポリゴンモーター１９の電源ラインをモーター駆動回路７４側と充電回路７７側とで切り替える機能を有している。充電回路７７は、ポリゴンモーター１９の回転によって生成された起電力を蓄電部品７８に充電する。蓄電部品７８としては、自己放電量が少ない電気二重層コンデンサやバッテリー等が用いられる。
【００２３】
画像形成動作に伴って光走査装置１０を動作させる場合には、メインプロセッサー７２は、切替回路７６をモーター駆動回路７４側に切り替え、モーター駆動回路７４からの駆動電圧をポリゴンモーター１９に供給させる。そして、画像形成動作の終了に伴って、光走査装置１０の動作を停止させる場合には、メインプロセッサー７２は、モーター駆動回路７４に対して駆動電圧の供給停止を指示すると共に、切替回路７６を充電回路７７側に切り替える。ポリゴンモーター１９は、ＤＣモーターで構成されおり、そのモーターの回転軸に装着されたポリゴンミラー１４の質量に基づく慣性により、駆動を停止させても空転を続け、停止するまでの間に起電力が回生エネルギーとして発生する駆動部品として機能する。これにより、ポリゴンモーター１９で発生する回生エネルギーは、充電回路７７を介して蓄電部品７８に充電されることになる。従って、画像形成動作に伴ってポリゴンモーター１９が駆動されると、ポリゴンモーター１９の停止時にその都度発生する回生エネルギーが蓄電部品７８に充電される。
【００２４】
蓄電部品７８に充電された電力は、プロセッサ用ＤＣ−ＤＣコンバーター７９によってメインプロセッサー７２及びメモリー７３の駆動電圧に変換され、メインプロセッサー７２及びメモリー７３にそれぞれ供給される構成になっている。プロセッサ用ＤＣ−ＤＣコンバーター７９とメインプロセッサー７２及びメモリー７３との間の電源ラインには、メインプロセッサー７２によってオン／オフが制御されるスイッチ（ＳＷ）８０が設けられている。
【００２５】
メインプロセッサー７２は、通常時、駆動用ＤＣ−ＤＣコンバーター７１との間の電源ラインに設けられているスイッチＳＷ７５をオン状態にし、プロセッサ用ＤＣ−ＤＣコンバーター７９との間の電源ラインに設けられているスイッチＳＷ８０をオフ状態にしている。これにより、メインプロセッサー７２は、通常時、商用交流電源（駆動用ＤＣ−ＤＣコンバーター７１）からの電力によって動作する。
【００２６】
また、メインプロセッサー７２は、メモリー７３に記憶されている制御プログラムの更新時、プロセッサ用ＤＣ−ＤＣコンバーター７９からの入力電圧を監視している。そして、入力電圧が予め設定されている閾電圧を下回った場合に、メインプロセッサー７２は、商用交流電源の遮断が発生したと判断し、駆動用ＤＣ−ＤＣコンバーター７１との間の電源ラインに設けられているスイッチＳＷ７５をオフ状態にし、プロセッサ用ＤＣ−ＤＣコンバーター７９との間の電源ラインに設けられているスイッチＳＷ８０をオン状態にする。これにより、メインプロセッサー７２は、（蓄電部品７８）プロセッサ用ＤＣ−ＤＣコンバーター７９からの電力によって動作する。従って、商用交流電源の遮断が発生しても、蓄電部品７８に蓄えられた電力によって、メモリー７３に記憶されている制御プログラムの更新を継続させることができる。なお、商用交流電源の遮断を検出する遮断検出回路を別と設け、遮断検出回路による遮断の検出に応じて、スイッチＳＷ７５をオフ状態にし、スイッチＳＷ８０をオン状態にするようにしても良い。
【００２７】
また、本実施の形態では、商用交流電源の遮断を検出すると、蓄電部品７８に蓄えられた電力をメインプロセッサー７２及びメモリー７３に供給するように構成したが、制御プログラムの更新時には、商用交流電源の状態に拘わらず、蓄電部品７８に蓄えられた電力をメインプロセッサー７２及びメモリー７３に供給するようにしても良い。この場合には、メインプロセッサー７２は、メモリー７３に記憶されている制御プログラムの更新開始時に、スイッチＳＷ７５をオフ状態にし、スイッチＳＷ８０をオン状態にする。そして、メインプロセッサー７２は、メモリー７３に記憶されている制御プログラムの更新終了後に、スイッチＳＷ７５をオン状態にし、スイッチＳＷ８０をオフ状態にする。これにより、制御プログラムの更新中に、商用交流電源が遮断されても、メインプロセッサー７２に供給される電源の切り替えが発生しないため、制御プログラムの更新作業を安定して行うことができる。
【００２８】
さらに、制御プログラムの更新時に、商用交流電源の状態に拘わらず、蓄電部品７８に蓄えられた電力をメインプロセッサー７２及びメモリー７３に供給するか否かを、蓄電部品７８の蓄電量を応じて判断するように構成しても良い。すなわち、蓄電部品７８の蓄電量が制御プログラムの更新作業に必要な電力以上か否か判断し、蓄電部品７８の蓄電量が制御プログラムの更新作業に必要な電力以上の場合にのみ、制御プログラムの更新時に、商用交流電源の状態に拘わらず、蓄電部品７８に蓄えられた電力をメインプロセッサー７２及びメモリー７３に供給すると良い。なお、蓄電部品７８の蓄電量は、メインプロセッサー７２によって算出して求めるように構成すると、蓄電量検出装置を設ける必要がないため、好適である。蓄電量の算出は、蓄電量＝充電量−放電量−使用電力量によって求めることができる。充電量は、ポリゴンモーター１９の停止によって発生する１回当たりの回生エネルギーに充電回数を乗算することで算出できる。放電量は、蓄電部品７８の特性値として単位時間当たりの放電量と経過時間とを乗算することで算出できる。使用電力量は、プログラムの更新動作に使用する単位時間当たりの電力量とプログラムの更新動作の時間とを乗算することで算出できる。
【００２９】
さらに、蓄電部品７８の蓄電量が満タン状態では、蓄電部品７８への充電を停止させるように構成すると良い。この場合には、蓄電部品７８の蓄電量が満タン状態であることを認識すると、メインプロセッサー７２はポリゴンモーター１９が停止しても切替回路７６を充電回路７７側に切り替えることなく、ポリゴンモーター１９の回生エネルギーが充電回路７７に流れることを防止する。
【００３０】
さらに、本実施の形態では、ポリゴンモーター１９の回生エネルギーを蓄電部品７８に蓄電するように構成したが、ポリゴンモーター１９に限ることなく、その他の駆動部品（例えば、ＤＣモーターからなるファンモーター等）の停止時に発生する回生エネルギーを蓄電部品７８に蓄電するようにしても良い。
【００３１】
以上説明したように、本実施の形態によれば、メモリー７３に記憶されたプログラムで動作するメインプロセッサー７２を備えた複写機１であって、駆動を停止させても空転を続け、停止するまでの間に起電力が回生エネルギーとして発生するポリゴンモーター１９と、ポリゴンモーター１９で発生した前記回生エネルギーを蓄電する蓄電部品７８とを具備し、メインプロセッサー７２は、プログラムの更新中に、電源が遮断された場合には、蓄電部品７８からの電力によって動作し、プログラムの更新を継続させる。
この構成により、ポリゴンモーター１９の動作時に充電を行うことなく、ポリゴンモーター１９が停止するまでの間に回生エネルギーとして発生する起電力を用いて充電を行うため、ポリゴンモーター１９で発生する起電力を用いて電力負荷が増やすことなく、蓄電部品７８への充電を行うことができ、プログラムの更新中に電源が遮断された場合でも、蓄電部品７８からの電力によってプログラムの更新を継続させることができる。
【００３２】
また、本実施の形態によれば、メモリー７３に記憶されたプログラムで動作するメインプロセッサー７２を備えた複写機１であって、駆動を停止させても空転を続け、停止するまでの間に起電力が回生エネルギーとして発生するポリゴンモーター１９と、ポリゴンモーター１９で発生した前記回生エネルギーを蓄電する蓄電部品７８とを具備し、メインプロセッサー７２は、プログラムの更新時に蓄電部品７８からの電力によって動作する。
この構成により、ポリゴンモーター１９の動作時に充電を行うことなく、ポリゴンモーター１９が停止するまでの間に回生エネルギーとして発生する起電力を用いて充電を行うため、ポリゴンモーター１９で発生する起電力を用いて電力負荷が増やすことなく、蓄電部品７８への充電を行うことができ、プログラムの更新をいかなる電源状態においてもプロセッサ自身で電源制御が可能となり、プログラム更新動作が妨げられることがなくなり、安定した電源環境化でプログラムの更新を行うことができる。また、プログラム更新時に省電力モードに移行といったメインプロセッサー７２の電源制御が必要な場合でも、電源管理用プロセッサとメモリアクセスしているプロセッサとが通信を行う必要が無く、電力が増加することもない。
【００３３】
さらに、本実施の形態によれば、メインプロセッサー７２は、蓄電部品７８の蓄電量が予め設定された値以上である場合に、プログラムの更新時に蓄電部品７８からの電力によって動作する。
この構成により、蓄電部品７８からの電力を用いて、確実にプログラムの更新を行うことができる。
【００３４】
さらに、本実施の形態によれば、ポリゴンモーター１９に駆動電圧を供給するモーター駆動回路７４と、ポリゴンモーター１９で発生した回生エネルギーを蓄電部品７８に充電する充電回路７７と、ポリゴンモーター１９の駆動時には、ポリゴンモーター１９の電源ラインをモーター駆動回路７４側に接続させ、ポリゴンモーター１９の駆動停止時には、ポリゴンモーター１９の電源ラインを前記充電回路７７側に切り替える切替回路７６とを備えている。
この構成により、簡単な構成で、ポリゴンモーター１９が停止するまでの間に回生エネルギーとして発生する起電力を用いて充電を行うことができる。
【００３５】
なお、本発明が上記各実施の形態に限定されず、本発明の技術思想の範囲内において、各実施の形態は適宜変更され得ることは明らかである。
【符号の説明】
【００３６】
１  複写機
２  原稿読取部
３  原稿給送部
４  本体部
６  排紙空間
１０  光走査装置
１１  レーザダイオード
１２、１３  レンズ部
１４  ポリゴンミラー
１５、１６  ｆθレンズ
１７  防塵ガラス
１８  ハウジング
１９  ポリゴンモーター
２１  スキャナー
２２  プラテンガラス
２３  原稿読取スリット
３１  原稿載置部
３２  原稿排出部
３３  原稿搬送機構
４１  感光体ドラム
４２  帯電器
４３  現像装置
４４  転写ローラー
４５  クリーニング装置
４６  搬送路
４７  給紙カセット
４８  ピックアップローラー
４９  レジストローラー対
５０  定着装置
５１  搬送ローラー対
５２  排出ローラー対
６１  排出トレイ
７１  駆動用ＤＣ−ＤＣコンバーター
７２  メインプロセッサー
７３  メモリー
７４  モーター駆動回路
７５  スイッチ
７６  切替回路
７７  充電回路
７８  蓄電部品
７９  プロセッサ用ＤＣ−ＤＣコンバーター
８０  スイッチ
【図１】
2015193130.tif 000003
【図２】
2015193130.tif 000004
【図３】
2015193130.tif 000005